(57)【特許請求の範囲】
【請求項１】
造営材に取付可能な器具本体と、
前記器具本体に収容される光源部および電源部と、
前記光源部を覆うとともに前記器具本体に支持される透光性カバーと、
前記器具本体の両端部にそれぞれ設けられた端部カバーと、
前記器具本体に設けられ、前記各端部カバーに設けられた第１挿通孔から外部に突設されるとともに、前記造営材に取り付けるための固定ビスが挿通可能なビス孔を有する鍔部と、
前記端部カバーにおける前記第１挿通孔に隣接する第２挿通孔とを備え、
前記第２挿通孔は、前記鍔部および前記固定ビスの頭部が収容可能な開口寸法を有することを特徴とする照明器具。
【請求項２】
請求項１に記載の照明器具において、
前記各鍔部は、全体平面視点対称に配置されていることを特徴とする照明器具。
【発明の詳細な説明】
【技術分野】
【０００１】
本発明は、連結構造を有する照明器具に関するものである。
【背景技術】
【０００２】
従来、複数本の照明器具としての直管型ランプが一直線状に配設された照明装置が知られている（例えば、特許文献１参照）。
特許文献１に記載の照明器具では、隣接して配設されている照明器具の反射板同士の隙間を、ランプ間カバーで覆っている。
これにより、反射板間の継ぎ目を隠して、外観の向上を図っている。
【先行技術文献】
【特許文献】
【０００３】
【特許文献１】実開平７−１６３１５号公報
【発明の概要】
【発明が解決しようとする課題】
【０００４】
しかしながら、前述した従来の照明器具においては、反射板同士の隙間を、別部材であるランプ間カバーで覆っているので、部品点数が増加するという問題がある。
また、前述した照明器具においては、器具本体を天井面に取り付けた後に、反射板を取り付け、その後にランプを取り付け、さらに、透過性カバーがある場合にはこれを取り付けるため、照明器具の取付作業が面倒であるという問題がある。
【０００５】
本発明は、従来の問題を解決するためになされたもので、連続するランプ間の連続部における暗部を縮小させて光ムラを減少できるとともに容易に造営材に取り付けることができる照明器具を提供することを目的とする。
【課題を解決するための手段】
【０００６】
本発明の照明器具は、造営材に取付可能な器具本体と、前記器具本体に収容される光源部および電源部と、前記光源部を覆うとともに前記器具本体に支持される透光性カバーと、前記器具本体の両端部にそれぞれ設けられた端部カバーと、前記器具本体に設けられ、前記各端部カバーに設けられた第１挿通孔から外部に突設されるとともに、前記造営材に取り付けるための固定ビスが挿通可能なビス孔を有する鍔部と、前記端部カバーにおける前記第１挿通孔に隣接する第２挿通孔とを備え、前記第２挿通孔は、前記鍔部および前記固定ビスの頭部が収容可能な開口寸法を有する。
【発明の効果】
【０００７】
本発明では、連続する照明器具間の連続部における暗部を縮小させて光ムラを減少できるという効果を有する照明器具を提供できる。
【図面の簡単な説明】
【０００８】
【図１】本発明に係る第１実施形態の照明器具を直線状に複数個取り付けた状態の斜視図
【図２】（Ａ）は本発明に係る第１実施形態の照明器具の分解斜視図であり、（Ｂ）は（Ａ）における“Ｂ”部の拡大図
【図３】（Ａ）は電源入力側端部の斜視図であり、（Ｂ）は電源送り側の斜視図
【図４】（Ａ）および（Ｂ）は、複数個の照明器具を取り付ける作業を下方から見た説明図
【図５】本発明に係る第２実施形態の照明器具を下方から見た全体図
【発明を実施するための形態】
【０００９】
照明器具１０Ａは、天井や壁等の造営材１１に取付可能な長尺状の器具本体２０と、器具本体２０に収容される光源部３４および電源部３０と、光源部３４を覆うとともに器具本体２０に支持される透光性カバー３８と、器具本体２０の両端部にそれぞれ設けられた、端部カバー４０（電源入力側端部カバー４１、電源送り側端部カバー４２）と、を有する。また、照明器具１０Ａは、器具本体２０に設けられ、各端部カバー４０に設けられた第１挿通孔４５から外部に突設された鍔部２４（電源入力側鍔部２４１、電源送り側鍔部２４２）を有する。鍔部２４は、造営材１１に取り付けるための固定ビス２６が挿通可能なビス孔２５を有する。端部カバー４０は第１挿通孔４５に隣接して第２挿通孔４６を備える。そして、第２挿通孔４６は、第1挿通孔４５と同様に鍔部２４および固定ビス２６の頭部が挿通し収容可能な開口寸法を有する。
【００１０】
また、照明器具１０Ａにおいては、各鍔部２４（電源入力側鍔部２４１、電源送り側鍔部２４２）は、全体平面視において点対称に配置されていることが好ましい。
【００１１】
（第１実施形態）
以下、第１実施形態の照明器具について、図面を用いて説明する。
図１に示すように、第１実施形態の照明器具１０Ａは、造営材１１例えば天井（以下天井１１という）に取り付けて主に下方を照明するのに用いることができる。また、複数個の照明器具１０Ａ、１０１Ａを、一直線上に連結接続して、連続した一つの照明装置として用いることができる。
なお、以下の説明においては、天井１１側を「上」とし、床側を「下」と云うこととする。
【００１２】
図２（Ａ）に示すように、照明器具１０Ａは、天井１１に取り付けられる器具本体２０を有する。器具本体２０は、全体矩形の金属製の板状部材であるベースプレート２１と、ベースプレート２１に取り付けられる断面コ字形状のアルミ製の本体カバー２２を有する。
ベースプレート２１は、矩形のベース本体２３と、ベース本体２３の長手方向両端に各々突出して設けられている舌状の鍔部２４（電源入力側鍔部２４１、電源送り側鍔部２４２）を有する。鍔部２４は、ベース本体２３の中心に対して点対称の位置に設けられている。
【００１３】
一方（例えば図２（Ａ）において右側）の鍔部２４は、電源入力側鍔部２４１であり、他方の鍔部２４は、電源送り側鍔部２４２である。電源入力側鍔部２４１および電源送り側鍔部２４２には、ビス孔２５が設けられている。電源入力側鍔部２４１および電源送り側鍔部２４２はベースプレート２１の幅の半分よりも若干小さめの幅を有しており、段差部２３１を介してベース本体２３よりも板厚方向の上側に設けられている。ベース本体２３には、長手方向両端部に、各々開口２３２が設けられている。
また、電源入力側の端部には、電源入力側鍔部２４１の段差部２３１に隣接するように、ベース本体２３よりも下方に下がった矩形状の鍔部押え板２３３が設けられている。鍔部押え板２３３とベース本体２３との間には、同構造の第１実施形態に係る別の照明器具１０１Ａ（図４（Ａ）および図４（Ｂ）参照）における電源入力側鍔部２４１が挿入された際に、この挿入された電源入力側鍔部２４１の先端部を固定する係止開口２３４（図３（Ａ）参照）が設けられている。なお、第１実施形態では鍔部押え板２３３は一方のみ設けたが、両方に設けても良い。
【００１４】
また、本体カバー２２は、一対の対向する立壁２７と、立壁２７の下端部を連結する底板２８を有する。一対の立壁２７の上端には、互いに接近する方向へ突出する溝部２９を有する。
図２（Ｂ）に示すように、溝部２９は、上板２９１、溝２９２および下板２９３を有し、断面コ字状を呈している。ベースプレート２１のベース本体２３と鍔部２４（電源入力側鍔部２４１、電源送り側鍔部２４２）との境界に設けられている段差部２３１の高さは、本体カバー２２の溝部２９の上板２９１の厚さに対応する。
【００１５】
固定ビス２６をビス孔２５に挿通して、ベースプレート２１を天井１１に固定した状態では、両鍔部２４（電源入力側鍔部２４１、電源送り側鍔部２４２）の上面のみが天井１１に接し、ベース本体２３と天井１１との間には隙間が形成される。
【００１６】
図２（Ａ）に示すように、ベースプレート２１の下面２１１には、電源部３０が取り付けられている。電源部３０は、電源回路基板３１を有しており、各種電気部品が取り付けられている。電源回路基板３１の下面には、多数の凸部３１１が設けられている。
また、ベースプレート２１の下面２１１には、電源部３０を覆うように、全体コ字形状の金属製の支持プレート３２が取り付けられている。電源回路基板３１は絶縁シート（図示せず）にて包まれており、支持プレート３２と電源回路基板３１の半田されたリード線（図示せず）とが絶縁されている。支持プレート３２の長手方向両外側には、各々端子台３３が取り付けられている。各端子台３３は、ベースプレート２１のベース本体２３に設けられている開口２３２の位置に対応して配置されている。
【００１７】
本体カバー２２の底板２８の下面には、光源部３４が取り付けられている。光源部３４は、長尺な矩形状のＬＥＤ回路基板３５と、ＬＥＤ回路基板３５の実装面に実装されるＬＥＤパッケージ３６を有する。ここでは、ＬＥＤパッケージ３６は、ＬＥＤ回路基板３５の幅方向中央に、長手方向に沿って一列に実装されているが、これに限るものではない。ＬＥＤ回路基板３５は、ネジ３７によって本体カバー２２の底板２８に固定される。
また、本体カバー２２の下側には、光源部３４を覆うように透光性カバー３８が取り付けられている。
【００１８】
本体カバー２２の両端部には、端部カバー４０がそれぞれ取り付けられている。端部カバー４０は樹脂製であり、電源入力側（ここでは、図２（Ａ）において右側）に取り付けられる電源入力側端部カバー４１と、電源送り側（ここでは、図２（Ａ）において左側）に取り付けられる電源送り側端部カバー４２を有する。なお、以下の説明において、電源入力側と電源送り側を区別しない場合は、「端部カバー４０」で表示する。
【００１９】
図３（Ａ）および図３（Ｂ）に示すように、両端部に設けられた端部カバー４０は、ベースプレート２１、本体カバー２２および透光性カバー３８のそれぞれの端部を覆う。それぞれの端部カバー４０は、２つの固定ネジ４３によって本体カバー２２の端面に固定される（図２（Ａ）参照）。端部カバー４０は、中央部に矩形の蓋部４４が設けられている。蓋部４４は、例えば四辺の中央のみが点状に連結されており、容易に切り取り可能となっている。
すなわち、電源送り側（図２（Ａ）において左側）に照明器具１０Ａを連結する際には、電源送り側端部カバー４２の蓋部４４を取り除くとともに連結する別の照明器具１０１Ａ（図１参照）の電源入力側端部カバー４１の蓋部４４を取り除く。そして、照明器具１０Ａと隣り合う別の照明器具１０１Ａとの端子台３３同士を、蓋部４４が取り除かれた後の孔を挿通させた導線（図示せず）にて接続して、電力を送るようにする。
【００２０】
端部カバー４０の上端部には、ベースプレート２１の鍔部２４を照明器具１０Ａの長さ方向に突出させるために切欠かれた凹形状の第１挿通孔４５が設けられている。すなわち、第１挿通孔４５は、鍔部２４（電源入力側鍔部２４１、電源送り側鍔部２４２）が設けられている側に設けられている。従って、第１実施形態の照明器具１０Ａにおいては、両端部の鍔部２４（電源入力側鍔部２４１、電源送り側鍔部２４２）は照明器具１０Ａの全体平面視において点対称の位置に設けられている。
また、第１挿通孔４５の横には、連結する相手の照明器具１０１Ａの鍔部２４を挿入するために切欠かれた凹形状の第２挿通孔４６が設けられている。すなわち、第２挿通孔４６は、鍔部２４（電源入力側鍔部２４１、電源送り側鍔部２４２）が設けられていない側に設けられており、照明器具１０Ａの全体平面視において点対称の位置に設けられている。
【００２１】
図３（Ａ）に示すように、電源入力側端部カバー４１における第２挿通孔４６の高さ、言い換えれば凹形状の深さは、第１挿通孔４５の高さ、すなわち同じく凹形状の深さよりも大きく形成されており、連結する相手の照明器具１０１Ａの鍔部２４を固定している固定ビス２６の頭部が挿通可能となっている。また、第２挿通孔４６の上面は、ベースプレート２１に設けられている鍔部押え板２３３の上面と同じ高さとなっている。
一方、図３（Ｂ）に示すように、電源送り側端部カバー４２における第２挿通孔４６は、第１挿通孔４５と同様に、鍔部２４が挿通可能な高さとなっている。
【００２２】
次に、照明器具１０Ａの取付作業について説明する。
照明器具１０Ａおよび照明器具１０Ａに連結させる照明器具１０１Ａは、電力線の接続を除いて全て組み付けられた状態である。
最初に天井１１に取り付ける照明器具１０Ａは、例えば、端子台３３を、ベースプレート２１の開口２３２を介して天井１１を貫通する電線により、商用電源と接続しておく。そして、図１および図４（Ａ）に示すように、照明器具１０Ａの長手方向両端から突出している鍔部２４を各々固定ビス２６で天井１１に固定する。
【００２３】
次いで、このようにして天井１１に取り付けられている照明器具１０Ａの電源送り側（図４（Ａ）において右側）に、照明器具１０１Ａを連結して取り付ける。
まず、照明器具１０Ａの電源送り側端部カバー４２の蓋部４４を除去するとともに、照明器具１０１Ａの電源入力側端部カバー４１の蓋部４４を除去して、端子台３３同士を電線で接続する。そして、照明器具１０１Ａの電源入力側鍔部２４１を、照明器具１０Ａの電源送り側端部カバー４２の第２挿通孔４６に挿入する。同時に、照明器具１０１Ａの電源入力側端部カバー４１の第２挿通孔４６に、固定ビス２６で固定された照明器具１０Ａ側の電源送り側鍔部２４２を挿入する（図４（Ａ）中矢印参照）。
【００２４】
これにより、照明器具１０Ａの電源送り側鍔部２４２の先端部が、照明器具１０１Ａの鍔部押え板２３３を通って係止開口２３４に挿入されて固定される（図４（Ｂ）参照）。
そして、最後に、図４（Ｂ）に示すように、照明器具１０１Ａの電源送り側鍔部２４２を固定ビス２６で天井１１に固定することにより、照明器具１０１Ａが取り付けられる。なお、３個以上の照明器具１０Ａを連結する場合は、上述した工程を繰り返すことにより、容易に取り付けることができる。
【００２５】
次に、第１実施形態の照明器具の作用効果について説明する。
照明器具１０Ａは、天井１１に取付可能な器具本体２０に、光源部３４および電源部３０を収容しており、光源部３４は、器具本体２０に支持されている透光性カバー３８により覆われる。器具本体２０は、互いに離れる方向を向く一対の端部カバー４０（電源入力側端部カバー４１、電源送り側端部カバー４２）を有する。器具本体２０は、端部カバー４０に設けられた第１挿通孔４５から外部に突設されて、天井１１に螺合する固定ビス２６が挿通可能なビス孔２５を有する鍔部２４（電源入力側鍔部２４１、電源送り側鍔部２４２）を有する。端部カバー４０は、第１挿通孔４５に隣接する第２挿通孔４６を有しており、第２挿通孔４６は鍔部２４および固定ビス２６の頭部が収容可能な開口寸法を有する。第１実施形態において固定ビスは、ねじを用い螺号により造営材１１に取り付けを行ったが、取り付け場所等によっては釘を用いて取り付けを行っても良い。
【００２６】
このため、最初に取り付ける照明器具１０Ａ（第１の照明器具という。）は、両端の端部カバー４０の第１挿通孔４５から突出している鍔部２４を固定ビス２６で天井１１に締結することにより取り付けることができるので、容易に取り付けることができる。
また、隣接して取り付ける照明器具１０１Ａ（第２の照明器具という。）は、第１の照明器具１０Ａ側の鍔部２４を第１の照明器具１０Ａの端部カバー４０の第２挿通孔４６に挿入して固定する。同時に、第１の照明器具１０Ａの鍔部２４を第２の照明器具１０１Ａの端部カバー４０の第２挿通孔４６に挿入する。
【００２７】
このため、第２の照明器具１０１Ａは、第１の照明器具１０Ａと反対側の鍔部２４を固定ビス２６で天井１１に取り付けるだけで取り付けられるので、容易に取り付けることができる。
また、このとき、第１の照明器具１０Ａと第２の照明器具１０１Ａとの間の双方の鍔部２４は、互いに相手の器具本体２０内部に収容されるので、隣り合う端部カバー４０（電源入力側端部カバー４１、電源送り側端部カバー４２）同士を近接して設けることができ、連続する照明器具１０Ａ、１０１Ａ間の連続部における暗部を縮小させて光ムラを減少できる。
【００２８】
（第２実施形態）
次に、第２実施形態の照明器具について説明する。
なお、前述した第１実施形態の照明器具１０Ａと共通する部位には同じ符号を付して、重複する説明を省略することとする。
図５に示すように、第２実施形態の照明器具１０Ｂでは、電源入力側鍔部２４１と電源送り側鍔部２４２とが、照明器具１０Ｂの長手方向中央断面に対して対称位置に設けられている。すなわち、照明器具１０Ｂの幅方向の同じ側（図５において上側）に配置されている。
【００２９】
これに伴い、電源入力側端部カバー４１および電源送り側端部カバー４２における第１挿通孔４５および第２挿通孔４６の位置も、長手方向中央断面に対して対称位置に設けられている。
従って、複数個の照明器具１０Ｂを連結する際には、照明器具１０Ｂの中心点を中心として１８０度回転したものを交互に連結して取り付ける。
【００３０】
このように構成しても、前述の第１実施形態の照明器具１０Ａと同様に、容易に取り付けることができる。また、連続するランプ間の連続部における暗部を縮小させて光ムラを減少できる。
【００３１】
本発明の照明器具は、前述した各実施形態に限定されるものでなく、適宜な変形、改良等が可能である。
【符号の説明】
【００３２】
１０Ａ、１０Ｂ、１０１Ａ  照明器具
１１  天井（造営材）
２０  器具本体
２４  鍔部
２５  ビス孔
２６  固定ビス
３０  電源部
３４  光源部
３８  透光性カバー
４０  端部カバー
４５  第１挿通孔
４６  第２挿通孔
【図１】
0006308467.tif 000002
【図２】
0006308467.tif 000003
【図３】
0006308467.tif 000004
【図４】
0006308467.tif 000005
【図５】
0006308467.tif 000006